(57)【特許請求の範囲】
【請求項１】
ベース部とトップ部からなるプロジェクタの光学ユニットにコンデンサレンズを所定の位置に係着するコンデンサレンズの係着構造において、光学ユニットのベース部にのみにコンデンサレンズを所定の位置に係止する複数の係止部を設け、前記複数の係止部の中のＸ−Ｙ方向の係止部は、光学ユニットのベース部に設けたＸ−Ｙ面内で上方に開いたＶ字溝の一部分とし、光学ユニットのトップ部に設けた下方に押圧する弾性体によりコンデンサレンズの外周部をそのＶ字溝の一部分の斜面に当接させて、コンデンサレンズを光学ユニットの所定の位置に係着する構造とすることを特徴としたコンデンサレンズの係着構造。
【請求項２】
前記Ｖ字溝は、略６０度の開角とすることを特徴とした請求項１記載のコンデンサレンズの係着構造。
【請求項３】
ベース部とトップ部からなるプロジェクタの光学ユニットにコンデンサレンズを所定の位置に係着するコンデンサレンズの係着構造において、光学ユニットのベース部にのみにコンデンサレンズを所定の位置に係止する複数の係止部を設け、前記複数の係止部の中のＸ−Ｙ方向の係止部は、光学ユニットのベース部に設けたＸ−Ｙ面内で上方に開いたＶ字溝の一部分とし、前記複数の係止部の中のＺ軸方向及び煽り角方向の係止部は、光学ユニットのベース部に設けたコンデンサレンズの底部の一方の面である入射面若しくは出射面に当接する１つの係止部と、コンデンサレンズの両横部の他方の面の出射面若しくは入射面に当接する２つの係止部とし、コンデンサレンズの上部に設けた１つの弾性体により下方に押圧するとともに、一方の面の入射面若しくは出射面を他方の面方向に押圧して、コンデンサレンズの外周部をＶ字溝の斜面に当接させるとともにコンデンサレンズの底部及び横部をそれぞれ係止部に当接させて、コンデンサレンズを光学ユニットの所定の位置に係着する構造とすることを特徴としたコンデンサレンズの係着構造。
【請求項４】
前記弾性体は、略コ字状若しくはＣ字状に曲げた板バネと、その板バネのコ字状若しくはＣ字状の背部から外側に延びる舌状板バネを１体としたものとすることを特徴とした請求項３記載のコンデンサレンズの係着構造。
【請求項５】
前記略コ字状若しくはＣ字状の板バネの両端部にさらに小さなコ字状の係止部を設け、光学ユニットのトップ部に開口した略長方形状の透孔の上部から、その板バネを湾曲して挿入し、透孔の端部に係止できる構造とすることを特徴とした請求項４記載のコンデンサレンズの係着構造。
【発明の詳細な説明】
【０００１】
【発明の属する技術分野】
本発明は、液晶プロジェクタ等のコンデンサレンズを光学ユニットに簡単に精度良く係着できるコンデンサレンズの係着構造に関する。
【０００２】
【従来の技術】
液晶プロジェクタの多くの光学部品を保持する光学ユニット等では、ベース部とトップ部の２ピースから構成して、このベース部とトップ部の間にコンデンサレンズ等の光学部品を挟着する形で保持する構造が一般的である。そして、コンデンサレンズ等を所定の位置に係着するために、光学ユニットのベース部に設けたレンズの円周に合わせた溝にレンズを落とし込み、その溝の横部及び光学ユニットのトップ部に設けた基準面に、ベース部及びトップ部の基準面に対向して設けたバネにより押圧する構造としていた。しかし、このような構造では、光学ユニットのベース部に設けるレンズの円周に合わせた溝は、円周状の溝のために寸法の測定等が困難で、製作精度も高くできない。そのため、レンズのＸ−Ｙ方向の位置精度が悪くなる。また、光学ユニットのベース部とトップ部の双方に基準面を設けているため、ベース部とトップ部の勘合の状態等によって煽り角方向の誤差を生じ易いなどの問題があった。
【０００３】
【発明が解決しようとする課題】
本発明は上記問題点に鑑みなされたもので、液晶プロジェクタ等のコンデンサレンズを、光学ユニットに簡単に精度良く係着できる手段を提供することを目的とする。
【０００４】
【課題を解決するための手段】
液晶プロジェクタの光学系を保持する光学ユニット等の、ベース部とトップ部からなる光学ユニットにコンデンサレンズを所定の位置に係着するコンデンサレンズの係着構造において、光学ユニットのベース部にのみにコンデンサレンズを所定の位置に係止する複数の係止部を設け、光学ユニットのトップ部に備えた弾性体によりコンデンサレンズを押圧して各係止部のそれぞれに当接して、コンデンサレンズを光学ユニットの所定の位置に係着する構造とする。
【０００５】
前記複数の係止部の中のＸ−Ｙ方向の係止部は、光学ユニットのベース部に設けたＸ−Ｙ面内で上方に開いたＶ字溝の一部分とし、光学ユニットのトップ部に設けた下方に押圧する弾性体によりコンデンサレンズの外周部をそのＶ字溝の一部分の斜面に当接させる構造とする。
【０００６】
前記Ｖ字溝は、略６０度の開角とする。
【０００７】
前記複数の係止部の中のＺ軸方向及び煽り角方向の係止部は、光学ユニットのベース部に設けたコンデンサレンズの底部の一方の面である入射面若しくは出射面に当接する１つの係止部と、コンデンサレンズの両横部の他方の面である出射面若しくは入射面に当接する２つの係止部とし、コンデンサレンズの上部に設けたバネにより一方の面の入射面若しくは出射面を他方の面方向に押圧してコンデンサレンズの底部及び横部をそれぞれ前記係止部に当接させる構造とする。
【０００８】
前記複数の係止部の中のＸ−Ｙ方向の係止部は、光学ユニットのベース部に設けたＸ−Ｙ面内で上方に開いたＶ字溝の一部分とし、前記複数の係止部の中のＺ軸方向及び煽り角方向の係止部は、光学ユニットのベース部に設けたコンデンサレンズの底部の一方の面である入射面若しくは出射面に当接する１つの係止部と、コンデンサレンズの両横部の他方の面の出射面若しくは入射面に当接する２つの係止部とし、コンデンサレンズの上部に設けた１つの弾性体により下方に押圧するとともに、一方の面の入射面若しくは出射面を他方の面方向に押圧して、コンデンサレンズの外周部をＶ字溝の斜面に当接させるとともにコンデンサレンズの底部及び横部をそれぞれ係止部に当接させる構造とする。
【０００９】
前記弾性体は、略コ字状若しくはＣ字状に曲げた板バネと、その板バネのコ字状若しくはＣ字状の背部から外側に延びる舌状板バネを１体としたものとする。
【００１０】
前記略コ字状若しくはＣ字状の板バネの両端部にさらに小さなコ字状の係止部を設け、光学ユニットのトップ部に開口した略長方形状の透孔の上部から、その板バネを湾曲して挿入し、透孔の端部に係止できる構造とする。
【００１１】
【発明の実施の形態】
以下に本発明の実施の形態について、図を用いて説明する。図１は、本発明によるコンデンサレンズの係着構造を示す光学ユニットのコンデンサレンズ係着部分の（Ａ）正面図（Ｘ−Ｙ平面）、（Ｂ）側断面図（同図ｃ−ｃ断面、Ｚ軸を含む面）の概念図である。液晶プロジェクタの光学系を保持する光学ユニットとしてベース部１とトップ部２の２ピースから構成する。光学ユニットのベース部１にのみにコンデンサレンズ３を所定の位置に係止する複数の係止部４、５、６を設けて、光学ユニットのトップ部２に備えた弾性体であるバネ７でコンデンサレンズ３を押圧して各係止部４、５、６のそれぞれに当接して、コンデンサレンズ３を光学ユニットの所定の位置に係着する構造とする。このような係着構造では、コンデンサレンズ３が光学ユニットのベース部１だけで位置決めされるために、ベース部１とトップ部２の組立時の相対精度にかかわらず簡単に精度良く係着できる。
【００１２】
複数の係止部４、５、６の中のＸ−Ｙ方向の係止部４としては、例えば光学ユニットのベース部１に設けたＸ−Ｙ面内で上方に開いたＶ字溝の一部分とする。Ｖ字溝の一部分となる係止部４に、コンデンサレンズ３の外周部を乗せて、光学ユニットのトップ部２に設けたバネ７の下方に押圧するコ字状若しくはＣ字状の背部７ａの部分でコンデンサレンズ３の外周部を、Ｖ字溝の一部分からなる係止部４の斜面部４ｐに当接させる構造とする。これにより、コンデンサレンズ３のＸ−Ｙ面内での位置が精度良く決定できる。なお、Ｖ字溝の開角Ｔは、略６０度とすることで、コンデンサレンズ３をＸ−Ｙ方向で係着する係止部４の２つの斜面部４ｐおよびバネ７の背部７ａのそれぞれにコンデンサレンズ３の中心から降ろした線Ｌ１、Ｌ２、Ｌ３の開角がそれぞれ１２０度となり、コンデンサレンズ３を安定にＸ−Ｙ面内で係着できる。
【００１３】
複数の係止部４、５、６の中のＺ軸方向及び煽り角方向の係止部は、光学ユニットのベース部１に設けたコンデンサレンズ３の底部の一方の面である出射面３ｂに当接する１つの係止部５と、コンデンサレンズ３の両横部の他方の面である入射面３ａに当接する２つの係止部６、６とする。コンデンサレンズ３の上部に設けた舌状のバネ７ｂで、コンデンサレンズ３の出射面を入射面方向に押圧して、コンデンサレンズ３の底部及び横部をそれぞれ係止部５および係止部６に当接させる構造とする。この構造により、コンデンサレンズ３のＺ軸方向及び煽り角方向の位置決めがベース部１とトップ部２の相対位置精度に関係無く、コンデンサレンズ３を精度よく光学ユニットに係着できる。
【００１４】
上記、コンデンサレンズ３を係止部４と、係止部５、６にそれぞれ押圧するバネは、それぞれ独立してトップ部２に係止するバネで構成することができる（図示せず）。または、コンデンサレンズ３の上部に設けた１つのバネで構成して、部品点数を削減し、製造や部品管理等の手間を削減することもできる。この場合には、例えば図１に示すように、１つのバネは、略コ字状若しくはＣ字状に曲げた板バネ７の背部７ａでコンデンサレンズ３を係止部４に押圧し、その板バネ７のコ字状若しくはＣ字状の背部７ａから外側に延びる舌状の板バネ７ｂのような構造とすることができる。
【００１５】
略コ字状若しくはＣ字状の板バネ７の両端部に、さらに小さなコ字状の係止部７ｃを設ける。また、光学ユニットのトップ部２のコンデンサレンズ３の上部には、略長方形状の透孔２ａを開口する。トップ部２の透孔２ａの上部から、板バネ７を湾曲させて挿入し、透孔２ａの端部にコ字状の係止部７ｃで係止できる構造とする。このような板バネ７の係止構造とすると、板バネ７を光学ユニットに係止する手間がさらに低減できるようになる。
【００１６】
【発明の効果】
以上に説明したように、液晶プロジェクタの光学系を保持する光学ユニット等の、ベース部とトップ部からなる光学ユニットにコンデンサレンズを所定の位置に係着するコンデンサレンズの係着構造において、光学ユニットのベース部にのみにコンデンサレンズを所定の位置に係止する複数の係止部を設け、光学ユニットのトップ部に備えた弾性体によりコンデンサレンズを押圧して各係止部のそれぞれに当接して、コンデンサレンズを光学ユニットの所定の位置に係着する構造とすることにより、トップ部の寸法精度やベース部との勘合精度等にかかわらず、液晶プロジェクタ等のコンデンサレンズを、光学ユニットに簡単に精度良く係着できることとなる。また、コンデンサレンズを係止部に押圧するバネの長さは自由に選べ設計の自由度が広くなとともに、バネを１体とすることも可能で経済的となる。
【図面の簡単な説明】
【図１】本発明によるコンデンサレンズの係着構造を示す光学ユニットのコンデンサレンズ係着部分の（Ａ）正面図（Ｘ−Ｙ平面）、（Ｂ）側断面図（同図ｃ−ｃ断面、Ｚ軸を含む面）の概念図である。
【符号の説明】
１  ベース部
２  トップ部
３  コンデンサレンズ
３ａ  入射面
３ｂ  出射面
４  係止部
５  係止部
６  係止部
７  板バネ
【図１】
0004221787.tif 000002